(57)【要約】      （修正有）【課題】長尺形状であるレンズホルダ全体に亘る反りの発生を抑えることが可能なレンズホルダ、レンズユニットを提供すると共に、これらレンズホルダ、レンズユニットを備えたＬＥＤヘッド、露光装置、画像形成装置、読取装置を提供する。【解決手段】物体の結像を形成するレンズ素子を複数配列したレンズアレイを保持し、当該レンズアレイの長手方向を第１の方向とするレンズホルダであって、物体と物体の結像とを結ぶ線方向である第２の方向に平行な直線に直交する平面部と、平面部から第２の方向における物体側に向かい、第１の方向全体に亘って延設された第１のリブと、平面部から第２の方向における結像側に向かい、第１の方向全体に亘って延設された第２のリブとを備え、第１のリブ、又は第２のリブには、複数のスリットが所定の間隔をもって形成されたレンズホルダ、レンズユニット、ＬＥＤヘッド、露光装置、画像形成装置及び読取装置。【選択図】図１
2014021432.tif 000002
【特許請求の範囲】
【請求項１】
物体の結像を形成するレンズ素子を複数配列したレンズアレイを保持し、当該レンズアレイの長手方向を第１の方向とするレンズホルダであって、
物体と物体の結像とを結ぶ線方向である第２の方向に平行な直線に直交する平面部と、
前記平面部から前記第２の方向における物体側に向かい、前記第１の方向全体に亘って延設された第１のリブと、
前記平面部から前記第２の方向における結像側に向かい、前記第１の方向全体に亘って延設された第２のリブとを備え、
前記第１のリブ、又は前記第２のリブには、複数のスリットが所定の間隔をもって形成されることを特徴とするレンズホルダ。
【請求項２】
前記第１のリブ、又は前記第２のリブのうち、前記第２の方向における前記平面部からの長さが長いリブに対して前記スリットが形成されることを特徴とする請求項１記載のレンズホルダ。
【請求項３】
前記第１のリブに前記スリットが形成されることを特徴とする請求項１、又は請求項２記載のレンズホルダ。
【請求項４】
物体の縮小倒立画像を形成する第１のレンズ素子を前記第１の方向に複数配列した第１のレンズアレイと、
前記第１のレンズ素子により形成された前記縮小倒立画像の拡大倒立画像を形成する第２のレンズ素子を前記第１の方向に複数配列した第２のレンズアレイと、
前記第１の方向に複数の絞りが形成された遮光部材と、
請求項１乃至請求項３の何れか１項記載のレンズホルダとを備えることを特徴とするレンズユニット。
【請求項５】
前記遮光部材は、前記第２の方向における物体と前記第１のレンズアレイとの間に配置され、前記レンズホルダと一体形成されることを特徴とする請求項４記載のレンズユニット。
【請求項６】
前記レンズホルダを構成する材質よりも剛性の高い材質からなる補強部材を備え、前記第２の方向における当該補強部材と前記遮光部材との間に物体が配置されることを特徴とする請求項４、又は請求項５記載のレンズユニット。
【請求項７】
前記遮光部材は、前記第２の方向における前記第１のレンズアレイと前記第２のレンズアレイとの間に配置され、前記レンズホルダと一体形成されることを特徴とする請求項４記載のレンズユニット。
【請求項８】
物体の正立等倍像を形成するロッドレンズ素子を前記第１の方向に複数配列したロッドレンズアレイと、
請求項１乃至請求項３の何れか１項記載のレンズホルダとを備え、
前記平面には、前記ロッドレンズアレイを保持するための突き当て部が形成されることを特徴とするレンズユニット。
【請求項９】
前記レンズホルダを構成する材質よりも剛性の高い材質からなる補強部材を備え、前記第２の方向における当該補強部材と前記ロッドレンズアレイとの間に物体が配置されることを特徴とする請求項８記載のレンズユニット。
【請求項１０】
発光素子を前記第１の方向に複数配列した発光素子アレイと、
請求項４乃至請求項９の何れか１項記載のレンズユニットとを備えることを特徴とする露光装置。
【請求項１１】
物体の結像を形成するレンズ素子を複数配列したレンズアレイを保持し、当該レンズアレイの長手方向を第１の方向とするレンズホルダと、
物体の縮小倒立画像を形成する第１のレンズ素子を前記第１の方向に複数配列した第１のレンズアレイと、
前記第１のレンズ素子により形成された前記縮小倒立画像の拡大倒立画像を形成する第２のレンズ素子を前記第１の方向に複数配列した第２のレンズアレイと、
前記第１の方向に複数の絞りが形成された遮光部材と、
ＬＥＤを前記第１の方向に複数配列したＬＥＤアレイとを備え、
前記レンズホルダは、
物体と物体の結像とを結ぶ線方向である第２の方向に平行な直線に直交する平面部と、
前記平面部から前記第２の方向における物体側に向かい、前記第１の方向全体に亘って延設された第１のリブと、
前記平面部から前記第２の方向における結像側に向かい、前記第１の方向全体に亘って延設された第２のリブとを備え、
前記第１のリブ、又は前記第２のリブには、複数のスリットが所定の間隔をもって形成されることを特徴とするＬＥＤヘッド。
【請求項１２】
物体の結像を形成するレンズ素子を複数配列したレンズアレイを保持し、当該レンズアレイの長手方向を第１の方向とするレンズホルダと、
現像剤を用いて前記結像を現像する現像手段とを備え、
前記レンズホルダは、
物体と物体の結像とを結ぶ線方向である第２の方向に平行な直線に直交する平面部と、
前記平面部から前記第２の方向における物体側に向かい、前記第１の方向全体に亘って延設された第１のリブと、
前記平面部から前記第２の方向における結像側に向かい、前記第１の方向全体に亘って延設された第２のリブとを備え、
前記第１のリブ、又は前記第２のリブには、複数のスリットが所定の間隔をもって形成されることを特徴とする画像形成装置。
【請求項１３】
受光素子を前記第１の方向に複数配列した受光素子アレイと、
請求項１、又は請求項２記載のレンズホルダとを備えることを特徴とする読取装置。
【請求項１４】
前記第２のリブに前記スリットが形成されることを特徴とする請求項１３記載の読取装置。
【請求項１５】
受光素子を前記第１の方向に複数配列した受光素子アレイと、
請求項４、請求項７、又は請求項８の何れか１項記載のレンズユニットとを備えることを特徴とする読取装置。
【請求項１６】
前記遮光部材は、前記第２の方向における前記第２のレンズアレイと前記受光素子アレイとの間に配置され、前記レンズホルダと一体形成されることを特徴とする請求項１５記載の読取装置。
【請求項１７】
前記レンズホルダを構成する材質よりも剛性の高い材質からなる補強部材を備え、前記第２の方向における当該補強部材と前記遮光部材との間に前記受光素子アレイが配置されることを特徴とする請求項１５、又は請求項１６記載の読取装置。
【請求項１８】
前記レンズホルダを構成する材質よりも剛性の高い材質からなる補強部材を備え、前記第２の方向における当該補強部材と前記ロッドレンズアレイとの間に前記受光素子アレイが配置されることを特徴とする請求項１５記載の読取装置。
【請求項１９】
長手方向に複数のレンズが配列されたレンズアレイと、
前記レンズアレイを保持するレンズホルダとを有し、
前記レンズホルダは、前記レンズアレイの長手方向に対して略垂直な幅方向に延びる壁部と、
前記壁部から前記レンズアレイの物体面に向かって延び、前記長手方向に延びる第１のリブと、
前記壁部から前記レンズアレイの結像面に向かって延び、前記長手方向に延びる第２のリブとを有し、
前記第１のリブ、又は前記第２のリブは、前記長手方向に所定の間隔で形成されたスリットを備えることを特徴とするレンズユニット。
【請求項２０】
前記第１のリブ端部から前記壁部までの距離は、前記第２のリブ端部から前記壁部までの距離よりも大きく、
前記スリットは、前記第１のリブに形成されることを特徴とする請求項１９記載のレンズユニット。
【請求項２１】
前記壁部の前記第１のリブが形成される側には前記レンズアレイが配置され、前記壁部の前記第２のリブが形成される側には物体が配置されることを特徴とする請求項２０、又は請求項２１記載のレンズユニット。
【発明の詳細な説明】
【技術分野】
【０００１】
本発明は、レンズホルダ、レンズユニット、ＬＥＤヘッド、露光装置、画像形成装置及び読取装置に関するものである。
【背景技術】
【０００２】
従来、例えば、複数のＬＥＤ（Light Emitting Diode）をアレイ状に配列したＬＥＤヘッドを用いた電子写真方式の画像形成装置や、複数の受光素子をアレイ状に配列した受光部に原稿の像を結像せさる読取装置に適応される光学系には、直線上の物体の正立等倍像を形成するレンズアレイが多用されている（例えば、特許文献１参照）。
【先行技術文献】
【特許文献】
【０００３】
【特許文献１】特開２０１０−１６４７１７号公報
【発明の概要】
【発明が解決しようとする課題】
【０００４】
しかしながら、従来技術では、レンズ素子を複数配列したレンズアレイを保持するレンズホルダは、レンズ素子の配列方向を長手方向とする長尺形状となってしまうため、材質によっては、膨張・収縮によりに反りが発生し解像度の低下を招くことがあった。
【０００５】
本発明は、このような実情に鑑みてなされたものであり、本発明の課題は、長尺形状であるレンズホルダ全体に亘る反りの発生を抑えることが可能なレンズホルダ、レンズユニットを提供すると共に、これらレンズホルダ、レンズユニットを備えたＬＥＤヘッド、露光装置、画像形成装置、読取装置を提供することである。
【課題を解決するための手段】
【０００６】
上記課題を解決するために、本発明に係るレンズホルダは、物体の結像を形成するレンズ素子を複数配列したレンズアレイを保持し、当該レンズアレイの長手方向を第１の方向とするレンズホルダであって、物体と物体の結像とを結ぶ線方向である第２の方向に平行な直線に直交する平面部と、前記平面部から前記第２の方向における物体側に向かい、前記第１の方向全体に亘って延設された第１のリブと、前記平面部から前記第２の方向における結像側に向かい、前記第１の方向全体に亘って延設された第２のリブとを備え、前記第１のリブ、又は前記第２のリブには、複数のスリットが所定の間隔をもって形成されることを特徴とする。
【０００７】
また、本発明に係るレンズユニットは、長手方向に複数のレンズが配列されたレンズアレイと、前記レンズアレイを保持するレンズホルダとを有し、前記レンズホルダは、前記レンズアレイの長手方向に対して略垂直な幅方向に延びる壁部と、前記壁部から前記レンズアレイの物体面に向かって延び、前記長手方向に延びる第１のリブと、前記壁部から前記レンズアレイの結像面に向かって延び、前記長手方向に延びる第２のリブとを有し、前記第１のリブ、又は前記第２のリブは、前記長手方向に所定の間隔で形成されたスリットを備えることを特徴とする。
【０００８】
さらに、本発明に係るＬＥＤヘッドは、物体の結像を形成するレンズ素子を複数配列したレンズアレイを保持し、当該レンズアレイの長手方向を第１の方向とするレンズホルダと、物体の縮小倒立画像を形成する第１のレンズ素子を前記第１の方向に複数配列した第１のレンズアレイと、前記第１のレンズ素子により形成された前記縮小倒立画像の拡大倒立画像を形成する第２のレンズ素子を前記第１の方向に複数配列した第２のレンズアレイと、前記第１の方向に複数の絞りが形成された遮光部材と、ＬＥＤを前記第１の方向に複数配列したＬＥＤアレイとを備え、前記レンズホルダは、物体と物体の結像とを結ぶ線方向である第２の方向に平行な直線に直交する平面部と、前記平面部から前記第２の方向における物体側に向かい、前記第１の方向全体に亘って延設された第１のリブと、前記平面部から前記第２の方向における結像側に向かい、前記第１の方向全体に亘って延設された第２のリブとを備え、前記第１のリブ、又は前記第２のリブには、複数のスリットが所定の間隔をもって形成されることを特徴とする。
【０００９】
さらにまた、本発明に係る画像形成装置は、物体の結像を形成するレンズ素子を複数配列したレンズアレイを保持し、当該レンズアレイの長手方向を第１の方向とするレンズホルダと、現像剤を用いて前記結像を現像する現像手段とを備え、前記レンズホルダは、物体と物体の結像とを結ぶ線方向である第２の方向に平行な直線に直交する平面部と、前記平面部から前記第２の方向における物体側に向かい、前記第１の方向全体に亘って延設された第１のリブと、前記平面部から前記第２の方向における結像側に向かい、前記第１の方向全体に亘って延設された第２のリブとを備え、前記第１のリブ、又は前記第２のリブには、複数のスリットが所定の間隔をもって形成されることを特徴とする。
【発明の効果】
【００１０】
本発明によれば、長尺形状であるレンズホルダ全体に亘る反りの発生を抑えることが可能なレンズホルダ、レンズユニットを提供すると共に、これらレンズホルダ、レンズユニットを備えたＬＥＤヘッド、露光装置、画像形成装置、読取装置を提供することができる。
【図面の簡単な説明】
【００１１】
【図１】プリンタの構成を説明する概略図である。
【図２】ＬＥＤヘッドの内部構成を説明するための縦断面図である。
【図３】図２中直線ＡＡ位置での断面図である。
【図４】ＬＥＤヘッドの分解斜視図である。
【図５】第１のレンズ板及び第２のレンズ板の形状及びこれらのレンズが形成する像の結像関係を説明する図である。
【図６】実施形態における効果を説明する図である。
【図７】変形例を説明する図であり、ＬＥＤヘッドの長手方向と直交する平面による断面図である。
【図８】ＬＥＤヘッドの分解斜視図である。
【図９】スキャナの構成を説明する概略図である。
【図１０】読取ヘッドの内部構成を説明するための縦断面図である。
【発明を実施するための形態】
【００１２】
以下、本発明の実施形態について図面を参照して説明する。なお、本発明は以下の記述い限定されるものではなく、本発明の要旨を逸脱しない範囲において適宜変更可能である。
【００１３】
［第１の実施形態］
まず、本発明に係る画像形成装置としてのプリンタについて説明する。本実施形態で説明するプリンタはカラー画像の形成が可能なカラー電子写真方式の画像形成装置であり、色材である顔料を含む樹脂からなるトナーを用いて、画像データに基づくカラー画像を印刷媒体上に形成することができる。このような機能を備えたプリンタ１００の構成について、図１の概略図を用いて説明する。
【００１４】
プリンタ１００は、給紙カセット６０を始点とし、搬送ローラ６２，６３、排出ローラ６４，６５を経て、排出スタッカ６６を終点とする略Ｓ字状に形成された媒体搬送経路に沿って、画像形成ユニット７０Ｋ（ブラック），７０Ｙ（イエロー），７０Ｍ（マゼンタ），７０Ｃ（シアン）、転写ユニット８０及び定着ユニット９０が設けられている。
【００１５】
給紙カセット６０は、内部に印刷媒体である用紙Ｐを積層した状態で収納し、プリンタ１００下部に着脱自在に装着されている。そして、給紙カセット６０上部に設けられた給紙ローラ６１は、給紙カセット６０に収納された用紙Ｐをその最上部から１枚ずつ取り出して媒体搬送経路に繰り出す。
【００１６】
搬送ローラ６２，６３は、給紙ローラ６１から繰り出された用紙Ｐの斜行を矯正すると共に、用紙Ｐを転写ベルト８２に搬送する。
【００１７】
排出ローラ６４，６５は、定着ユニット９０を通過した用紙Ｐを挟持搬送し、プリンタ１００の外筐を利用して形成された排出スタッカ６６に排出する。
【００１８】
本実施形態に係るプリンタ１００は、前述したように、カラー電子写真方式を採用しており、プリンタ１００内部にブラック（Ｋ）、イエロー（Ｙ）、マゼンタ（Ｍ）、シアン（Ｃ）の各トナー色に対応した画像形成ユニット７０Ｋ，７０Ｙ，７０Ｍ，７０Ｃを備える。なお、各画像形成ユニット７０Ｋ，７０Ｙ，７０Ｍ，７０Ｃの構成は、収容されるトナーのみが異なり他の構成は全て同一である。したがって、画像形成ユニット７０Ｋに含まれる各部材にのみ符号を付し、以下の説明においては、画像形成ユニット７０Ｋ，７０Ｙ，７０Ｍ，７０Ｃを識別するためのアルファベット表記は省略して説明する。
【００１９】
画像形成ユニット７０は、静電潜像担持体である感光体ドラム７１と、感光ドラム７１表面を一様均一の帯電させる帯電ローラ７２と、後述する転写ローラ８１を通過した感光体ドラム７１表面に残留したトナーを除去するクリーニングブレード７３と、感光体ドラム７１表面に後述するＬＥＤヘッド３０により形成された静電潜像にトナーを付着させて現像し、トナー像を形成する現像手段としての現像器７４と、現像器７４に対してトナーを供給するトナーカートリッジ７５とを備える。
【００２０】
感光体ドラム７１は、導電性支持体と光導電層とによって構成され、例えば、導電性支持体としてのアルミニウム等の金属シャフトに光導電層としての電荷発生層、及び電荷輸送層が順次積層されて構成された有機感光体である。また、感光体ドラム７１は、所定方向に回転しながら、ＬＥＤヘッド３０から照射された光に基づく静電潜像を形成する。
【００２１】
帯電ローラ７２は、例えば、ステンレス等の金属シャフトと半導電性エピクロロヒドリンゴムとによって構成されている。帯電ローラ７２は、感光体ドラム７１に対して所定の圧力をもって当接しており、図示せぬ高圧電源から印加された帯電バイアスに基づき、感光体ドラム７１の表面を一様均一に帯電させる。
【００２２】
クリーニングブレード７３は、例えば、ウレタン製のゴム部材であり、その一端は感光体ドラム７１の表面の所定位置に当接する位置に配設されている。クリーニングブレード７３は、感光体ドラム７１の表面に残留するトナーを掻き取ることで感光体ドラム７１の表面をクリーニングする。
【００２３】
現像器７４は、少なくとも、感光体ドラム７１に密着して当該感光体ドラム７１表面に形成された静電潜像にトナーを付着させる、図示せぬ現像ローラと、当該現像ローラにトナーを供給する供給ローラと、現像ローラに当接するように設けられ、供給ローラから供給されたトナーの層厚を規制する現像ブレードとを備える。
【００２４】
トナーカートリッジ７５は、各色のトナーを収容する箱型容器であり、画像形成ユニット７０に対して着脱自在となるように構成されている。
【００２５】
転写ユニット８０は、画像形成ユニット７０Ｋ，７０Ｙ，７０Ｍ，７０Ｃがそれぞれ備える感光体ドラム７１に対して転写ベルト８２を介して圧接する転写ローラ８１Ｋ，８１Ｙ，８１Ｍ，８１Ｃと、転写ベルト８２と、ドライブローラ８３と、テンションローラ８４とを備える。
【００２６】
転写ローラ８１Ｋ，８１Ｙ，８１Ｍ，８１Ｃは、例えば、導電性ゴム等によって構成され、図示せぬ高圧電源から印加された印加電圧に基づき、感光体ドラム７１表面上に形成されたトナー像を用紙Ｐに転写させる。
【００２７】
転写ベルト８２は、用紙Ｐを静電吸着して搬送する無端のベルト部材であり、図示せぬ駆動部から伝達された駆動力により回転するドライブローラ８３と、当該ドライブローラ８３と対をなして設けられたテンションローラ８４とにより張架されている。
【００２８】
定着ユニット９０は、画像形成ユニット７０Ｋ，７０Ｙ，７０Ｍ，７０Ｃ以降の媒体搬送経路下流側に設けられており、ヒートローラ９１、バックアップローラ９２及び図示せぬサーミスタ等を備える。ヒートローラ９１は、例えば、アルミニウム等からなる中空円筒状の芯金にシリコーンゴムの耐熱弾性層を被覆し、その上にＰＦＡ（テトラフルオロエチレンーパーフルオロアルキルビニルエーテル共重合体）チューブを被服することによって形成されている。そして、その芯金内には、例えば、ハロゲンランプ等の加熱ヒータが設けられている。バックアップローラ９２は、例えば、アルミニウム等からなる芯金にシリコーンゴムの耐熱弾性層を被覆し、その上にＰＦＡを被覆した構成であり、ヒートローラとの間に圧接部が形成されるように配設されている。サーミスタは、ヒートローラ９１の表面温度検出手段であり、ヒートローラ９１の近傍に非接触で設けられている。サーミスタが検出したヒートローラ９１の表面温度の検出結果に基づき、上記加熱ヒータを制御することで、ヒートローラ９１の表面温度は所定の温度に維持される。画像形成ユニット７０Ｋ，７０Ｙ，７０Ｍ，７０Ｃにおいて形成されたトナー像が転写された用紙Ｐが所定の温度に維持されたヒートローラ９１とバックアップローラ９２とから形成される圧接部を通過することにより、用紙Ｐ上のトナーに熱、及び圧力が付与され、当該トナーは溶融し、トナー像が定着される。
【００２９】
なお、図１には示されていないが、プリンタ１００を構成する他の部材として、プリンタ１００は、マイクロプロセッサ，ＲＯＭ（Read Only Memory），ＲＡＭ（Random Access Memory），入出力ポート，タイマ等を備える印刷制御部、印刷データ及び制御コマンドを受信してプリンタ１００の全体のシーケンスを制御し印刷動作を実行するインタフェース制御部、また、インタフェース制御部を介して入力された印刷データを一時的に記憶する受信メモリ、この受信メモリに記憶された印刷データを受け取ると共に、この印刷データを編集処理することによって、形成された画像データ（イメージデータ）を記憶する画像データ編集メモリ、プリンタ１００の状態を表示するための、例えば、ＬＣＤ（Liquid Crystal Display）等の表示装置を備える表示部、ユーザからの指示を受付けるための、例えばタッチパネル等の入力手段を備える操作部、プリンタ１００の動作状態を監視するための、例えば、用紙位置検出センサ，温湿度センサ，濃度センサ等の各種センサ、画像データ編集メモリに記憶されたイメージデータをＬＥＤヘッド３０Ｋ，３０Ｙ，３０Ｍ，３０Ｃに送り、このＬＥＤヘッド３０Ｋ，３０Ｙ，３０Ｍ，３０Ｃの駆動を制御する露光装置駆動制御部、定着ユニット９０の温度を制御する温度制御部、用紙Ｐを搬送する各ローラを回転させるための駆動モータを制御する用紙搬送モータ制御部、感光体ドラム等の各種ローラを回転させるための駆動モータを制御する駆動制御部、又は各ローラに電圧を印加する高圧電源等を備える。
【００３０】
前述したように、露光装置としてのＬＥＤヘッド３０Ｋ，３０Ｙ，３０Ｍ，３０Ｃは、画像形成ユニット７０Ｋ，７０Ｙ，７０Ｍ，７０Ｃが備える感光体ドラム７１表面に画像データに基づく光を照射することによって静電潜像を形成させる。このようなＬＥＤヘッド３０Ｋ，３０Ｙ，３０Ｍ，３０Ｃは、照射した光がそれぞれの感光体ドラム７１表面において結像する位置となるように配置されている。以下に、ＬＥＤヘッド３０Ｋ，３０Ｙ，３０Ｍ，３０Ｃの構成について、図２、図３、図４及び図５を用いて詳細に説明する。なお、ＬＥＤヘッド３０Ｋ，３０Ｙ，３０Ｍ，３０Ｃの構成は、全て同一であるため、以下の説明においては、画像形成ユニットの説明時と同様に、ＬＥＤヘッド３０Ｋ，３０Ｙ，３０Ｍ，３０Ｃを識別するためのアルファベット表記は省略して説明する。
【００３１】
図２は、ＬＥＤヘッド３０の内部構成を説明するための縦断面図である。ＬＥＤヘッド３０は、物体の結像を形成するレンズ素子を複数配列したレンズアレイを保持し、当該レンズアレイの長手方向を第１の方向としているため、図２の水平方向において長尺形状である。なお、図２においては、ＬＥＤ素子３１が下方側に、結像面たる感光体ドラム７１が上方側となるように表されている。また、図３は、図２中直線ＡＡ位置での断面図であり、図３においては、ＬＥＤヘッド３０の長手方向が図面の表裏方向に、ＬＥＤ素子３１が下方側に、感光体ドラム７１が上方側となるように表されている
【００３２】
図２及び図３に示すように、ＬＥＤヘッド３０は、発光素子としてのＬＥＤ素子３１が略直線状に複数配列された基板３２と、ＬＥＤ素子３１の発光に基づく縮小倒立画像を形成する第１のレンズアレイとしての第１のレンズ板１１と、第１のレンズ板１１により形成された倒立縮小画像を拡大倒立して拡大倒立画像を形成する第２のレンズアレイとしての第２のレンズ板１４と、第１のレンズ板１１と第２のレンズ板１４との間に設けられた第１の遮光部材であり、壁部としての遮光板２１と、ＬＥＤ素子３１と第１のレンズ板１１との間に設けられた第２の遮光部材であり、平面部であり、壁部としてのマスク２３と、マスク２３と結像面たる感光体ドラム７１表面との距離を調整する調整部材３９と、基板３２、第１のレンズ板１１、第２のレンズ板１４、遮光板２１及びマスク２３を保持するレンズホルダとしてのホルダ３３とを備える。基板３２、第１のレンズ板１１、第２のレンズ板１４、遮光板２１及びマスク２３は、略同じ長さの長手方向（図２中Ｙ方向）長さを有する長尺の部材である。
【００３３】
本実施形態に係るマスク２３は、厚さ方向（図２，図３中Ｚ方向）に所定の厚さをもって形成されている。そして、マスク２３の長手方向（図２中Ｙ方向）と厚さ方向に対して略垂直な幅方向（図３中Ｘ方向）における両端からマスク２３の厚さ方向に向かって、第２のリブとしての小リブ３６、第１のリブとしての大リブ３７が所定の厚みをもって延在している。また、小リブ３６、大リブ３７は、マスク２３の長手方向に伸び、本実施形態においては、マスク２３と小リブ３６、大リブ３７とは、略同じ長さの長手方向長さを有する。
【００３４】
また、マスク２３の幅方向長さ（マスク２３の幅方向における一端に形成された小リブ３６（大リブ３７）と他端に形成された小リブ３６（大リブ３７）との間隔）は、第１のレンズ板１１、第２のレンズ板１４、補強部材２０、遮光板２１、及び基板３２の幅方向長さよりも長く形成されている。
【００３５】
ホルダ３３は、それぞれの部材の長手方向が全て平行（水平方向）となるように保持する（図２中Ｙ方向）。また、ＬＥＤ素子３１は等間隔となるように略直線状に長手方向に配列され、１インチ（約２５．４ｍｍ）当り６００個のＬＥＤ素子３１が配列されていることを示す６００ｄｐｉ（dot per inch）のＬＥＤヘッドの場合、ＬＥＤ素子３１の配列間隔は０．０４２３３ｍｍとなる。なお、図２中、ＡＸＲは感光体ドラム７１の回転軸を表し、当該ＡＸＲは、ＬＥＤ素子３１の配列方向と平行で、長手方向（図２中Ｙ方向）に配置される。
【００３６】
調整部材３９は、マスク２３と感光体ドラム７１との間における面間隔の調整が可能となるように構成されており、長手方向全体に亘って当該面間隔が一定となるようにマスク２３に配置されている。なお、調整部材３９は、例えば、偏芯カムで構成することができる。
【００３７】
摺動部材４０は、感光体ドラム７１が回転しても当該感光体ドラム７１表面と調整部材３８との間隔が一定となるように、感光体ドラム７１表面に沿って配置される。
【００３８】
補強部材２０は、その長手方向長さがホルダ３３の長手方向長さと略同じ長さとなるように構成されている。補強部材２０は、基板３２のＬＥＤ素子３１が配置された面の裏側に、基板３２に沿って配置され、ＬＥＤヘッド３０の反りを抑制するようにホルダ３３に比べて剛性が高い材質及び構造を有している。
【００３９】
基板突き当て部３４は、基板３２と当接して、マスク２３と基板３２との面間隔が長手方向全体に亘って一定となるようにマスク２３に配置されている。
【００４０】
レンズ突き当て部３５は、マスク２３と第１のレンズ板１１との面間隔が長手方向全体に亘って一定となるようにマスク２３に配置されている。
【００４１】
ここで、水平方向（図３中Ｘ方向）をＬＥＤヘッド３０及び第１のレンズ板１１の幅方向とし、第１のレンズ板１１及び第２のレンズ板１４の幅方向における中心線をＣＬとすると、ＣＬを外挿した直線上にＬＥＤ素子３１及び感光体ドラム７１の回転軸ＡＸＲが配置される。そして、第１のレンズ板１１及び第２のレンズ板１４のマイクロレンズの光軸は中心線ＣＬと平行で、Ｘ方向に対して垂直方向（図中Ｚ方向）となっている。
【００４２】
第２のリブとしての小リブ３６は、第１のレンズ板１１上の第１のレンズ１２の光軸に直交する略平面であるマスク２３から結像が形成される、結像面たる感光体ドラム７１の方向に、マスク２３に対して垂直に直立した構造である。このような小リブ３６は、第１のレンズ板１１、遮光板２１及び第２のレンズ板１４を保持するように配置されている。
【００４３】
第１のリブとしての大リブ３７は、第１のレンズ板１１上の第１のレンズ１２の光軸に直交する略平面であるマスク２３から、物体面たるＬＥＤ素子３１の方向に、マスク２３に対して垂直に直立した構造である。このような大リブ３７は、基板３２及び補強部材２０を保持するように配置される。本実施形態においては、ＬＥＤヘッド３０全体の反りを抑制するための補強部材２０を保持可能とするため、大リブ３７と小リブ３６とが伸びる方向であるＺ方向において大リブ３７は小リブ３６に比べてマスク２３の端部からの長さが長くなるように大きく形成されている。
【００４４】
図４は、ＬＥＤヘッド３０の分解斜視図である。図４においては、第１のレンズ板１１及び第２のレンズ板１４のマイクロレンズの光軸が図中Ｚ方向の垂直方向であり、図中下方にＬＥＤ素子３１、図中上方に第２のレンズ板１４となるように配置されている。
【００４５】
図４に示すように、ＬＥＤヘッド３０は、図中下方から、補強部材２０、基板３２（ＬＥＤ素子３１）、マスク２３、第１のレンズ板１１、遮光板２１、第２のレンズ板１４の順で配置されている。
【００４６】
第１のレンズ板１１、第２のレンズ板１４、遮光板２１は、小リブ３６が形成される側に配置されている。レンズ突き当て部３５に第１のレンズ板１１の幅方向における両端に形成された第１のレンズ板１１の長手方向に延在するリブ１３が突き当てられて第１のレンズ板１１が配置される。遮光板２１は、リブ１３に突き当てられて配置される。第２のレンズ板１４は、遮光板２１に第２のレンズ板１４の幅方向における両端に形成された第２のレンズ板１４の長手方向に延在するリブ１６が突き当てられて配置される。補強部材２０、基板３２は、大リブ３７が形成される側に配置されている。基板突き当て部３４に基板３２が突き当てられ、基板３２のＬＥＤ素子３１が配置される側と反対側に補強部材２０が突き当てられて配置される。
【００４７】
第１のレンズ板１１には、第１のレンズ１２が２列に配列されている。第２のレンズ板１４には、第２のレンズ１５が２列に配列されている。遮光板２１には、第１の絞り２２が２列に配列されている。マスク２３には、第２の絞り２４が２列に配列されている。第１のレンズ１２の光軸と、第２のレンズ１５の光軸と、第１の絞り及び第２の絞りの位置とが一致するようにそれぞれ同一間隔で配列されている。すなわち、ＬＥＤヘッド３０は、光軸が一致するように配置された２枚のレンズアレイからなるレンズ対を、光軸に対して垂直方向に略直線に配置した構成となっている。
【００４８】
ホルダ３３は、補強部材２０、基板３２、第１のレンズ板１１、第２のレンズ板１４、遮光板２１及びマスク２３を固定するホルダであり、ＬＥＤヘッド３０の長手方向全体に亘って、マスク２３と一体に形成される。
【００４９】
マスク２３には、第２の絞り２４が２列に配列され、当該第２の絞り２４の配列間隔は、第１のレンズ１２と同じである。また、マスク２３の基板３２に対向する面の幅方向（図中Ｘ方向）における第２の絞り２４の外側には、基板突き当て部３４が、当該基板突き当て部３４の外側に大リブ３７がマスク２３の長手方向全体に亘って形成されている。さらに、マスク２３の第１のレンズ板１１に対向する面の幅方向（図中Ｘ方向）における第２の絞り２４の外側にレンズ突き当て部３５が、当該レンズ突き当て部３５の外側に小リブ３６がマスク２３の長手方向全体に亘って形成されている。
【００５０】
なお、大リブ３７には長手方向全体に亘って所定の間隔をもってスリット３８が複数形成されている。この複数の矩形状のスリット３８は、大リブ３７の長手方向に略等ピッチ間隔で配置されている。各スリット間のピッチ間隔は、他のスリット間のピッチ間隔に対してプラスマイナス３０％以内のピッチ間隔で形成されていればよい。なお、大リブ３７の長手方向に形成される全てのスリット３８がこのような関係を満たさなければならないわけではなく、全てのスリット３８のピッチ間隔のうち、約７０％以上がこのような関係を満たされていれば一定の効果を得ることができる。
【００５１】
ここで、第１のレンズ板１１について説明する。第１のレンズ板１１上の隣接する第１のレンズ１２の間には平坦部は形成されず、隣接する第１のレンズ１２同士は境界で接し、隙間なく緻密に配置されている。リブ１３は、第１のレンズ板１１上に形成されたリブであり、第１のレンズ板１１の長手方向全体に亘って形成され、レンズ板突き当て部３５に当接する。すなわち、リブ１３は、第１のレンズ１２と第２の絞り２４との面間隔及び第１のレンズ１２と第１の絞り２２との面間隔がＬＥＤ３０の長手方向（図中Ｙ方向）全体に亘って一定となるように構成されている。なお、第１のレンズ板１１は、ＬＥＤ素子３１が発する光線を透過する材質によって構成されている。
【００５２】
次に、遮光板２１の形状について説明する。遮光板２１には、長手方向（図中Ｙ方向）に沿って第１の絞り２２が２列に配列され、当該第１の絞り２２の配列間隔は、第１のレンズ１２と同じである。なお、遮光板２１は、ＬＥＤ素子３１が発する光線を遮光する材質により構成されている。
【００５３】
次に、第２のレンズ板１４について説明する。第２のレンズ板１４上の隣接する第２のレンズ１５の間には平坦部は形成されず、隣接する第２のレンズ１５同士は境界で接し、隙間なく緻密に配置されている。リブ１６は、第２のレンズ板１４上に形成されたリブであり、第２のレンズ板１４の長手方向全体に亘って形成され、遮光板２１に当接する。すなわち、リブ１６は、第２のレンズ１５と第１の絞り２２との面間隔がＬＥＤ３０の長手方向（図中Ｙ方向）全体に亘って一定となるように構成されている。
【００５４】
このような構成を有する第１のレンズ板１１及び第２のレンズ板１４の形状及びこれらのレンズが形成する像の結像関係について図５を用いて説明する。図５においては、図中Ｙ方向に示す垂直方向が第１のレンズ板１１の長手方向となっている。
【００５５】
前述したように、第１のレンズ板１１には、第１のレンズ１２が２列に配列される。なお、図中のＡＸＬで示す線は、第１のレンズ１２の光軸である。ＬＥＤ素子３１が配置された面である物体面ＯＰと第１のレンズ１２までの距離はＬＯに設定され、第１のレンズ１２と第２のレンズ板１４との面間隔はＬＳに設定される。また、第２のレンズ１５と結像面ＩＰとの面間隔はＬＩに設定され、第１のレンズ１２の厚さはＬＴ１、第２のレンズ１５の厚さはＬＴ２と設定される。
【００５６】
図５において、第１のレンズ１２は、光軸ＡＸＬ方向に距離ＬＯ１の位置にある物体２００Ａの結像としての中間像２００Ｂを、光軸方向に距離ＬＩ１離れた中間像面ＩＭＰ上に形成する。このとき、中間像２００Ｂは物体２００Ａの倒立縮小像となっている。そして、第２のレンズ１５は、距離ＬＯ２の位置にある中間像２００Ｂの結像２００Ｃを、光軸ＡＸＬ方向にＬＩ２隔てた結像面ＩＰ上に結像する。このとき、結像２００Ｃは物体２００Ａの正立等倍像となっている。なお、物体面ＯＰから第１のレンズ１２までの距離ＬＯは距離ＬＯ１と等しく設定され、第１のレンズ１２と第２のレンズ１５との間隔ＬＳは、ＬＳ＝ＬＩ１＋ＬＯ２に設定され、第２のレンズ１４から結像面ＩＰまでの距離ＬＩは、ＬＩ２と等しく設定される。
【００５７】
次に、上記ＬＥＤヘッド３０を適用したプリンタ１００の画像形成プロセスについて説明する。
【００５８】
まず、プリンタ１００に対して印刷データが入力され、当該印刷データに基づく画像データが生成されると、プリンタ１００は画像形成プロセスを開始する。画像形成プロセスの開始にあたって、給紙カセット６０に収納された用紙Ｐは、図示せぬ駆動モータの駆動により回転した給紙ローラ６１の回転により１枚ずつ媒体搬送経路に繰り出される。その後、用紙Ｐは搬送ローラ６２，６３により斜行が矯正されながら、媒体搬送経路に沿って画像形成ユニット７０に搬送される。そして、画像形成ユニット７０に用紙Ｐが搬送されるまでの所定のタイミングにおいて下記に示す画像形成プロセスが開始される。
【００５９】
プリンタ１００に対して画像データが生成されると、感光体ドラム７１は、図示せぬ駆動部から伝達された駆動力により図１中、所定方向に一定周速度で回転する。そして、感光体ドラム７１表面に接触して設けられた帯電ローラ７２は、図示せぬ高圧電源から印加された帯電バイアスを感光体ドラム７１表面に印加し、当該表面を一様均一に帯電させる。次に、感光体ドラム７１表面に対向して設けられたＬＥＤヘッド３０によって、画像データに対応した照射光が感光体ドラム７１に照射され、光照射部分の電位が光減衰して静電潜像が形成される。
【００６０】
そして、現像器７４は、感光体ドラム７１表面に形成された静電潜像にトナーを付着させることにより、トナー像を現像する。
【００６１】
感光体ドラム７１表面上のトナー像は、図示せぬ高圧電源よって、所定の転写バイアスが印加された転写ローラ８１により用紙Ｐに転写される。
【００６２】
その後、用紙Ｐはヒートローラ９１とバックアップローラ９２とを備えた定着ユニット９０に搬送される。トナー像が転写された用紙Ｐは、図示せぬ温度制御手段により制御され、所定の表面温度に保たれたヒートローラ９１とバックアップローラ９２とにより形成される圧接部に搬送される。そして、ヒートローラ９１から付与される熱によりトナーが溶融され、さらに圧接部で加圧されることにより、トナー像は用紙Ｐ上に定着される。
【００６３】
トナー像が定着した用紙Ｐは、排出ローラ６４，６５により挟持搬送された後、排出スタッカ６６に排出され、一連の画像形成プロセスは終了する。
【００６４】
なお、トナー像が転写された後の感光体ドラム７１の表面には、若干のトナーが残留する場合がある。この残留したトナーは、クリーニングブレード７３によって除去される。前述したように、クリーニングブレード７３は、感光体ドラム７１表面の所定の位置に当接するように配設されている。クリーニングブレード７３が感光体ドラム７１の表面に当接した状態で感光体ドラム７１が回転軸中心に回転することによって、転写されずに感光体ドラム７１表面に残留したトナーが除去される。なお、クリーニングされた感光体ドラム７１は次の画像形成プロセスにおいて繰り返し使用される。
【００６５】
次に、ＬＥＤヘッド３０の動作について図５を用いて説明する。
【００６６】
生成した画像データに基づきプリンタ１００の露光装置駆動制御部からＬＥＤ３０の駆動信号が発信されると、ＬＥＤ素子３１は任意の光量で発光する。すると、第１のレンズ１２は、第１の絞り２２内部の中間像面ＩＭＰ上に、物体２００Ａの結像としての中間像２００Ｂを形成する。このとき、中間像２００Ｂは、物体２００Ａの倒立縮小像となっている。
【００６７】
そして、第２のレンズ１５は、結像面ＩＰ上に中間像２００Ｂの結像としての結像２００Ｃを形成する。このとき、結像２００Ｃは物体２００Ａｎｏ正立等倍像となっている。なお、結像を形成する光線は、第２の絞り２４を透過し、結像のコントラストを低下させる、所謂、迷光は、マスク２３によって遮断される。
【００６８】
次に、本実施形態の効果について図６を用いて説明する。図６はホルダ３３の側面図である。ここで、図６の水平方向はホルダ３３の長手方向を表し、図６（ａ）、（ｂ）それぞれにおいて、小リブ３６が図中上方側に、大リブ３７が図中下方側となるように表されている。また、図６（ａ）は、本実施形態の効果を説明するための、大リブ３７にスリット３８を設けていない例を示し、図６（ｂ）は、大リブ３７にスリット３８を設けた例について示している。
【００６９】
図６（ａ）に示す例においては、小リブ３６の垂直方向（図中Ｚ方向）における長さが大リブ３７より短いため、射出成形による製造時において小リブ３６の収縮率が大リブ３７よりも大きくなる。したがって、ホルダ３３の長手方向における両端部が小リブ３６が配置されている図中上方側に向かって持ち上がるような反りが発生することになる。
【００７０】
一方、図６（ｂ）に示す例においては、大リブ３７の長手方向全体に亘り、所定のピッチ間隔をもってスリット３８が形成されている。したがって、大リブ３７の体積はスリット３８の分、図６（ａ）に示す例に比べ減少しており、小リブ３６の体積により近づいているため、射出成形による製造時における収縮率の差が小さくなっている。また、スリット３８が大リブ３７に配置されることによって、射出成形による製造時において、大リブ３７を構成する樹脂が複雑に流動する。その結果、大リブ３７を構成する樹脂が複雑に配向することで、図６（ａ）に示す例よりも、大リブ３７の収縮率が大きくなり、図６（ｂ）に示す小リブ３６の収縮率と略同じとなり、互いの収縮率が相殺され、図６（ｂ）に示す例においては、ホルダ３３の反りが抑制されることになる。なお、本実施形態で説明したスリット３８は、図６（ｂ）に示すように、矩形状の形状として説明したが、射出成形による製造時における収縮率の差が小リブ３６と略同じとなる形状であれば、その形状に制限はない。
【００７１】
［変形例］
本実施形態の変形例について説明する。図７は、ＬＥＤヘッド３０の長手方向と直交する平面による断面図であり、図２における直線ＡＡ位置での断面図に相当する。図７において、ＬＥＤヘッド３０の長手方向が図面の表裏方向に、ＬＥＤ素子３１が下方側に、感光体ドラム７１が上方側となるように表されている。
【００７２】
本変形例においては、遮光板２１はホルダ３３と一体に形成される。そして、基板突き当て部３４は、基板３２と当接して、マスク２３と基板３２との面間隔が長手方向全体に亘って一定となるようにマスク２３に配置されている。
【００７３】
第１のレンズ突き当て部３５ａは、遮光板２１と第１のレンズ板１１との面間隔が長手方向全体に亘って一定となるようにマスク２３に配置されている。第２のレンズ突き当て部３５ｂは、遮光板２１と第２のレンズ板１４との面間隔が長手方向全体に亘って一定となるように遮光板２１に配置されている。
【００７４】
小リブ３６は、第１のレンズ板１１上の第１のレンズ１２の光軸に直交する略平面である遮光板２１から結像が形成される感光体ドラム７１の方向に、遮光板２１に対して垂直に直立した構造である。このような小リブ３６は、第２のレンズ板１４を保持するように配置されている。
【００７５】
大リブ３７は、第１のレンズ板１１上の第１のレンズ１２の光軸に直交する略平面である遮光板２１からＬＥＤ素子３１の方向に、遮光板２１に対して垂直に直立した構造である。このような大リブ３７は、基板３２、補強部材２０、マスク２３及び第１のレンズ板１１を保持するように配置される。本実施形態においては、ＬＥＤヘッド３０全体の反りを抑制するための補強部材２０を保持可能とするため、大リブ３７は小リブ３６に比べてマスク２３からの長さが長くなるように大きく形成されている。また、大リブ３７には長手方向全体に亘って所定の間隔をもって複数のスリット３８が形成されている。
【００７６】
したがって、第１の実施形態及び変形例によれば、長尺形状であるレンズホルダ全体に亘る反りの発生を抑えることが可能なレンズホルダを提供すると共に、このレンズホルダを備えたＬＥＤヘッド、露光装置、画像形成装置を提供することができる。
【００７７】
［第２の実施形態］
第２の実施形態に係るＬＥＤヘッドの構成について説明する。なお、第２の実施形態の説明において、第１の実施形態で説明した部材と同一な部材については、同じ符号を付してその説明を省略する。
【００７８】
図８は、第２の実施形態に係るＬＥＤヘッド３０'の分解斜視図である。図８においては、ロッドレンズアレイ４４の光軸が図中Ｚ方向の垂直方向であり、図中下方にＬＥＤ素子３１、図中上方にレンズロッドアレイ４４となるように配置されている。
【００７９】
図８に示すように、ＬＥＤヘッド３０'は、図中下方から、補強部材２０、基板３２（ＬＥＤ素子３１）、基板突き当て部３４、レンズロッドアレイ４４の順で配置されている。
【００８０】
レンズロッドアレイ４４は、ＬＥＤ素子３１の配列方向と平行方向に複数配列されたロッドレンズ４５を備える。ロッドレンズ４５は円筒形であり、この円筒形の中心軸から外側に向かって屈折率が変化するように構成され、物体の成立等倍像を形成することができる。円筒形をしたロッドレンズ４５の中心軸は、ロッドレンズ４５の配列方向と直交する方向に向いており、ＬＥＤ素子３１とその結像とを結ぶ方向に向くように配置されている。ロッドレンズアレイ４４は、略直線状に配列されたＬＥＤ素子３１の結像をライン状に形成する。ロッドレンズアレイ４４により形成されるＬＥＤ素子３１の結像は、成立等倍像となる。
【００８１】
次に、ホルダ３３の形状について説明する。ホルダ３３には長手方向全体に亘って基板突き当て部３４が、当該基板突き当て部３４の外側に大リブ３７がホルダ３３の長手方向全体に亘って形成されている。そして、ホルダ３３の基板突き当て部３４の上部には、長手方向全体に亘ってレンズ突き当て部３５が、当該レンズ突き当て部３５の外側に小リブ３６がホルダ３３の長手方向全体に亘って形成されている。
【００８２】
小リブ３６は、ロッドレンズ４５の中心軸に直交する略平面であるレンズ突き当て部３５から結像が形成される感光体ドラム７１の方向に、レンズ突き当て部３５に対して垂直に直立した構造である。このような小リブ３６は、レンズロッドアレイ４４を保持するように配置されている。
【００８３】
大リブ３７は、ロッドレンズ４５の中心軸に直交する略平面である基板突き当て部３４からＬＥＤ素子３１の方向に、基板突き当て部３４に対して垂直に直立した構造である。このような大リブ３７は、基板３２及び補強部材２０を保持するように配置される。本実施形態においては、ＬＥＤヘッド３０'全体の反りを抑制するための補強部材２０を保持可能とするため、大リブ３７は小リブ３６に比べて大きく形成されている。また、大リブ３７には長手方向全体に亘って所定の間隔をもって複数のスリット３８が形成されている。
【００８４】
次に、本実施形態の効果について図８を用いて説明する。図８に示されるように、本実施形態においては、基板突き当て部３４及びレンズ突き当て部３５が、ホルダ３３の長手方向全体に亘って形成されているため、基板３２とロッドレンズアレイ４４との面間隔をＬＥＤヘッド３０'の長手方向全体に亘って一定とすることができる。また、ホルダ３３の構成を第１の実施形態と同様に構成することにより、ホルダ３３の反りを抑制することができる。
【００８５】
以上のように、第２の実施形態によれば、長尺形状であるレンズホルダ全体に亘る反りの発生を抑えることが可能なレンズホルダを提供すると共に、このレンズホルダを備えたＬＥＤヘッド、露光装置、画像形成装置を提供することができる。
【００８６】
［第３の実施形態］
次に、本発明に係る読取装置としてのスキャナについて説明する。本実施形態に係るスキャナは、原稿台に載置された原稿を読み取り、読み取った原稿に基づく電子データを生成することができる。このような構成を備えたスキャナ５００の構成について、図９の概略図を用いて説明する。
【００８７】
スキャナ５００は、本発明に係るレンズユニット１０を有する読取ヘッド４００と、光源５０１と、原稿台５０２と、レール５０３と、滑車５０４と、駆動ベルト５０５と、モータ５０６とを備える。
【００８８】
読取ヘッド４００は原稿６００の表面で反射した光線を取り込み、光電変換して原稿６００上の画像に応じた電気信号を発生する。なお、読取ヘッド４００の構成については、後述する。
【００８９】
光源５０１は原稿６００に光を照射する。光源５０１としては、例えば、寿命が長く、消費電力が少ないモリブテン電極等の冷陰極管等を用いることができる。
【００９０】
原稿台５０２は、原稿６００が載置される原稿載置面を形成する略長方形の可視光線透過材質により構成される。
【００９１】
レール５０３は、読取ヘッド４００を原稿載置面の長手方向に移動可能とするために敷設される。読取ヘッド４００は当該レール５０３上を移動しながら、原稿６００上の画像を読み取る。
【００９２】
滑車５０４は、無端の駆動ベルト５０５を張架する。駆動ベルト５０５の一部は読取ヘッド４００に接続され、図示せぬモータから伝達された駆動力によって駆動し、読取ヘッド４００を移動させる。
【００９３】
次に、読取ヘッド４００の構成について説明する。図１０は、読取ヘッド４００の内部構成を説明するための縦断面図である。なお、図１０は、レンズユニット１０の長手方向と直交する平面による断面図であり、レンズユニット１０の長手方向が図面の表裏方向に、ミラー４０２が下方側に、ラインセンサ４０１が上方側となるように表されている。
【００９４】
ミラー４０２は、原稿６００で反射された光線の光路を折り曲げるためのミラーである。
【００９５】
レンズユニット１０は原稿６００の結像を形成する部材であり、複数の受光素子が略直線状に基板３２上に配列されたラインセンサ４０１と、ミラー４０２で反射された光線に基づく縮小倒立画像を形成する第１のレンズ板１１と、第１のレンズ板１１により形成された倒立縮小画像を拡大倒立して拡大倒立画像を形成する第２のレンズ板１４と、第１のレンズ板１１と第２のレンズ板１４との間に設けられた遮光板２１と、ラインセンサ４０１と第２のレンズ板１４との間に設けられたマスク２３と、基板３２、第１のレンズ板１１、第２のレンズ板１４、遮光板２１及びマスク２３を保持するホルダ３３とを備える。なお、本実施形態においては、レンズアレイ１０の物体面ＯＰが原稿６００となるように、結像面ＩＰがラインセンサ４０１となるように配置される。
【００９６】
マスク２３は第２の遮光部材であり、ラインセンサ４０１と第２のレンズ板１４との間に設けられ、第１のレンズ１２との光軸が一致するように、第２の絞り２４が配列されている。つまり、第２の絞り２４は、第２のレンズ１５の光軸ＡＸＬ上で、第２のレンズ１５とラインセンサ４０１との間に配置される。
【００９７】
補強部材２０は、その長手方向長さがホルダ３３の長手方向長さと略同じ長さとなるように構成されている。補強部材２０は、基板３２のラインセンサ４０１が配置された面の裏側に、基板３２に沿って配置され、読取ヘッド４００の反りを抑制するようにホルダ３３に比べて剛性が高い材質及び構造を有している。
【００９８】
基板突き当て部３４は、基板３２と当接して、マスク２３と基板３２との面間隔が長手方向全体に亘って一定となるようにマスク２３に配置されている。
【００９９】
レンズ突き当て部３５は、マスク２３と第２のレンズ板１４との面間隔が長手方向全体に亘って一定となるようにマスク２３に配置されている。
【０１００】
ここで、水平方向（図１０中Ｘ方向）読取ヘッド４００及び第１のレンズ板１１の幅方向とし、第１のレンズ板１１及び第２のレンズ板１４の幅方向における中心線をＣＬとすると、ＣＬを外挿した直線上にレンズアレイ４０１の受光素子が配置される。そして、第１のレンズ板１１及び第２のレンズ板１４のマイクロレンズの光軸は中心線ＣＬと平行で、Ｘ方向に対して垂直方向（図中Ｚ方向）となっている。
【０１０１】
小リブ３６は、第１のレンズ板１１上の第１のレンズ１２の光軸に直交する略平面であるマスク２３から物体の方向に、マスク２３に対して垂直に直立した構造である。このような小リブ３６は、第１のレンズ板１１、遮光板２１及び第２のレンズ板１４を保持するように配置されている。
【０１０２】
大リブ３７は、第１のレンズ板１１上の第１のレンズ１２の光軸に直交する略平面であるマスク２３からレンズアレイ４０１の受光素子の方向に、マスク２３に対して垂直に直立した構造である。このような大リブ３７は、基板３２及び補強部材２０を保持するように配置される。本実施形態においては、読取ヘッド４００全体の反りを抑制するための補強部材２０を保持可能とするため、大リブ３７は小リブ３６に比べてマスク２３の端部からの長さが長くなるように大きく形成されている。
【０１０３】
ホルダ３３は、補強部材２０、基板３２、第１のレンズ板１１、第２のレンズ板１４、遮光板２１及びマスク２３を固定するホルダであり、読取ヘッド４００の長手方向全体に亘って、マスク２３と一体に形成される。
【０１０４】
マスク２３には、第２の絞り２４が２列に配列され、当該第２の絞り２４の配列間隔は、第１のレンズ１２と同じである。また、マスク２３の基板３２に対向する面の幅方向（図中Ｘ方向）における第２の絞り２４の外側には、基板突き当て部３４が、当該基板突き当て部３４の外側に大リブ３７がマスク２３の長手方向全体に亘って形成されている。さらに、マスク２３の第１のレンズ板１１に対向する面の幅方向（図中Ｘ方向）における第２の絞り２４の外側にレンズ突き当て部３５が、当該レンズ突き当て部３５の外側に小リブ３６がマスク２３の長手方向全体に亘って形成されている。
【０１０５】
なお、大リブ３７には長手方向全体に亘って所定の間隔をもってスリット３８が複数形成されている。この複数の矩形状のスリット３８は、大リブ３７の長手方向に略等ピッチで配置されている。各スリット間のピッチ間隔は、他のスリット間のピッチ間隔に対してプラスマイナス３０％以内のピッチ間隔で形成されていればよい。なお、大リブ３７の長手方向に形成される全てのスリット３８がこのような関係を満たさなければならないわけではなく、全てのスリット３８のピッチ間隔のうち、約７０％以上がこのような関係を満たされていれば一定の効果を得ることができる。
【０１０６】
次に、第２のレンズ板１４について説明する。リブ１６は、第２のレンズ板１４上に形成されたリブであり、第２のレンズ板１４の長手方向全体に亘って形成され、レンズ突き当て部３５に当接する。すなわち、リブ１６は、第２のレンズ１５と第２の絞り２４との面間隔及び第２のレンズ１５と第１の絞り２２との面間隔が読取ヘッド４００の長手方向（図中表裏方向）全体に亘って一定となるように構成されている。
【０１０７】
また、第１のレンズ板１１におけるリブ１３は、第１のレンズ板１１上に形成されたリブであり、第１のレンズ板１１の長手方向全体に亘って形成され、遮光板２１に当接する。すなわち、リブ１３は、第１のレンズ１２と第１の絞り２２との面間隔及び第１のレンズ１２と第１の絞り２２との面間隔が読取ヘッド４００の長手方向（図中Ｙ方向）全体に亘って一定となるように構成されている。
【０１０８】
次に、上記読取ヘッド４００を適用したスキャナ５００の動作について説明する。
【０１０９】
まず、光源５０１が点灯し、原稿６００表面で光線が反射されると、当該光線は、読取ヘッド４００内に取り込まれる。すなわち、モータ５０６の駆動により駆動ベルト５０５が駆動することで、読取ヘッド４００と光源５０１とが図９中Ｚ方向に移動し、読取ヘッド４００は、原稿６００全面からの反射された光線を取り込むことができる。
【０１１０】
次に、読取ヘッド４００の動作について説明する。
【０１１１】
原稿６００で反射された光線は、原稿台５０２を透過し、ミラー４０２によりその光路が折り曲げられ、レンズユニット１０に入射する。原稿６００の結像は、レンズユニット１０によりラインセンサ４０１上に形成される。そして、ラインセンサ４０１は原稿６００上の画像の結像に応じた電気信号を発生する。なお、本実施形態においては、読取ヘッド４００全体の反りを抑制するための補強部材２０を保持可能とするため、大リブ３７は小リブ３６に比べてマスク２３の端部からの長さが長くなるように大きく形成されている。また、大リブ３７には長手方向全体に亘って所定の間隔をもって複数のスリット３８が形成されている。
【０１１２】
したがって、第３の実施形態によれば、長尺形状であるレンズホルダ全体に亘る反りの発生を抑えることが可能なレンズホルダ、レンズユニットを提供すると共に、これらレンズホルダ、レンズユニットを備えた読取ヘッド、読取装置を提供することができる。
【符号の説明】
【０１１３】
１０  レンズユニット
１１  第１のレンズ板
１２  第１のレンズ
１３  リブ
１４  第２のレンズ板
１５  第２のレンズ
１６  リブ
２０  補強部材
２１  遮光板
２２  第１の絞り
２３  マスク
２４  第２の絞り
３０，３０'  ＬＥＤヘッド
３１  ＬＥＤ素子
３２  基板
３３  ホルダ
３４  基板突き当て部
３５  レンズ突き当て部
３６  小リブ
３７  大リブ
３８  スリット
３９  調整部材
４０  摺動部材
４４  レンズロッドアレイ
４５  ロッドレンズ
６０  給紙カセット
６１  給紙ローラ
６２，６３  搬送ローラ
６４，６５  排出ローラ
６６  排出スタッカ
７０Ｋ，７０Ｙ，７０Ｍ，７０Ｃ  画像形成ユニット
７１  感光体ドラム
７２  帯電ローラ
７３  クリーニングブレード
７４  現像器
７５  トナーカートリッジ
８０  転写ユニット
８１Ｋ，８１Ｙ，８１Ｍ，８１Ｃ  転写ローラ
８２  転写ベルト
８３  ドライブローラ
８４  テンションローラ
９０  定着ユニット
９１  ヒートローラ
９２  バックアップローラ
１００  プリンタ
４００  読取ヘッド
４０１  ラインセンサ
４０２  ミラー
５００  スキャナ
５０１  光源
５０２  原稿台
５０３  レール
５０４  滑車
５０５  駆動ベルト
５０６  モータ
６００  原稿
【図１】
2014021432.tif 000003
【図２】
2014021432.tif 000004
【図３】
2014021432.tif 000005
【図４】
2014021432.tif 000006
【図５】
2014021432.tif 000007
【図６】
2014021432.tif 000008
【図７】
2014021432.tif 000009
【図８】
2014021432.tif 000010
【図９】
2014021432.tif 000011
【図１０】
2014021432.tif 000012